(57)【要約】【課題】本発明はケーブル制振方法に関し、ケーブルにあらゆる方向から風が吹いても、レインバイブレーションが発生しないようにすることが課題である。【解決手段】定着部間に架設され引張材と該引張材を被覆する保護管とでなるケーブルが風により振動するのを防止するケーブル制振方法において、前記保護管１の外周面１ａに、該保護管の長手方向に沿って連続した突起を設け、且つ、当該保護管の周方向に適宜間隔をおいて前記突起２を設けることで制振させるケーブル制振方法である。【選択図】図１
2005155286.tif 000002
【特許請求の範囲】
【請求項１】
定着部間に架設され引張材と該引張材を被覆する保護管とでなるケーブルが風により振動するのを防止するケーブル制振方法において、
前記保護管の外周面に、該保護管の長手方向に沿って連続した突起を設け、且つ、当該保護管の周方向に適宜間隔をおいて前記突起を設けることで制振させること、
を特徴とするケーブル制振方法。
【請求項２】
定着部間に架設され引張材と該引張材を被覆する保護管とでなるケーブルが風により振動するのを防止するケーブル制振方法において、
前記保護管の外周面に、該保護管の長手方向に沿って不連続な直線状の突起を設け、且つ、当該保護管の周方向に適宜間隔をおいて前記突起を設けることで制振させること、
を特徴とするケーブル制振方法。
【請求項３】
突起は、保護管の周方向において、該突起における不連続部分が隣接する突起の不連続
部分と位置的に重ならないように千鳥配置にして配設されていること、
を特徴とする請求項２に記載のケーブル制振方法。
【請求項４】
定着部間に架設される引張材を被覆する保護管において、
前記保護管の外周面に、該保護管の長手方向に沿って連続し、且つ、当該保護管の周方向に適宜間隔をおいて配置された突起が設けられていること、
を特徴とする保護管。
【請求項５】
定着部間に架設される引張材を被覆する保護管において、
前記保護管の外周面に、該保護管の長手方向に沿って不連続な直線状で、且つ、当該保護管の周方向に適宜間隔をおいて配置された突起が設けられていること、
を特徴とする保護管。
【請求項６】
突起は、保護管の周方向において、該突起における不連続部分が隣接する突起の不連続部分と位置的に重ならないように千鳥配置にして配設されていること、
を特徴とする保護管。
【発明の詳細な説明】
【技術分野】
【０００１】
本発明は、例えば、斜張橋のケーブルやその他一般の新設又は既設の架設ケーブルにおけるケーブル制振方法とその保護管に関するものである。
【背景技術】
【０００２】
従来、例えば、図４に示すように、斜張橋６におけるケーブル７若しくはその他一般の屋外に架設されるケーブルは、腐食によって切断されるのを防止するため、鋼線束の引張材８に防錆材１０を介してポリエチレン（ＰＥ）等の合成樹脂製保護管９で被覆して構成されている。
【０００３】
しかしながら、上記ケーブル７は、車両走行時や地震時、あるいは強い風を受けて振動して疲労し、当該ケーブルの強度が早期に低下すると言った問題点がある。これらの振動のうち、特に顕著な振動は、風雨によるレインバイブレーションといわれる振動の発生である。
【０００４】
前記レインバイブレーションは、図６に示すように、雨水１１がケーブルの底面に沿って流れる水道１１ａを作り、これが前記保護管９の外面を異形にし、水平風によって揚力を発生させ、いわゆるギャロッピング現象を起こすことによって、振動するものである。このようなケーブルの振動を防止すべく、前記保護管９において、その頂部に凸部を設け、底部に凹部を設けたものが知られている（特許文献１参照）。
【特許文献１】特開平２−１７２８１３号公報
【０００５】
しかし、前記ケーブル７に対しては、水平風ばかりでなく、色々な角度でケーブルに向かって風が吹くので、水平風にしか制振作用が発揮されないという課題がある。
【発明の開示】
【発明が解決しようとする課題】
【０００６】
解決しようとする問題点は、架設のケーブルに対して、全方向の風に対して制振作用が発揮される保護管になっていない点である。
【課題を解決するための手段】
【０００７】
本発明に係るケーブル制振方法の要旨は、定着部間に架設され引張材と該引張材を被覆する保護管とでなるケーブルが風により振動するのを防止するケーブル制振方法において、前記保護管の外周面に、該保護管の長手方向に沿って連続した突起を設け、且つ、当該保護管の周方向に適宜間隔をおいて前記突起を設けることで制振させることである。
【０００８】
また、定着部間に架設され引張材と該引張材を被覆する保護管とでなるケーブルが風により振動するのを防止するケーブル制振方法において、前記保護管の外周面に、該保護管の長手方向に沿って不連続な直線状の突起を設け、且つ、当該保護管の周方向に適宜間隔をおいて前記突起を設けることで制振させることである。
【０００９】
前記突起は、保護管の周方向において、該突起における不連続部分が隣接する突起の不連続部分と位置的に重ならないように千鳥配置にして配設されていることを含むものである。
【００１０】
本発明の保護管の要旨は、定着部間に架設される引張材を被覆する保護管において、前記保護管の外周面に、該保護管の長手方向に沿って連続し、且つ、当該保護管の周方向に適宜間隔をおいて配置された突起が設けられていることである。
【００１１】
また、定着部間に架設される引張材を被覆する保護管において、前記保護管の外周面に、該保護管の長手方向に沿って不連続な直線状で、且つ、当該保護管の周方向に適宜間隔をおいて配置された突起が設けられていることである。
【００１２】
前記突起は、保護管の周方向において、該突起における不連続部分が隣接する突起の不連続部分と位置的に重ならないように千鳥配置にして配設されていることを含むものである。
【発明の効果】
【００１３】
本発明のケーブル制振方法は、ケーブルにおける保護管の外周面に、該保護管の長手方向に沿って連続した突起を設け、且つ、当該保護管の周方向に適宜間隔をおいて前記突起を設けることで、ケーブルに対してあらゆる方向から風が吹いても、ケーブルの外面を異形にする雨水の道ができないことで、制振作用が発揮されるようになると言う優れた効果を奏するものである。
【００１４】
また、保護管の外周面に、該保護管の長手方向に沿って不連続な直線状の突起を設け、且つ、当該保護管の周方向に適宜間隔をおいて前記突起を設けることで、上記と同様に制振作用が発揮されるものである。
【００１５】
更に、突起は、保護管の周方向において、該突起における不連続部分が隣接する突起の不連続部分と位置的に重ならないように千鳥配置にして配設されていることで、制振作用が発揮されると共に、保護管の軽量化にもなる。
【００１６】
本発明に係る保護管によれば、定着部間に架設される引張材を被覆する保護管において、前記保護管の外周面に、該保護管の長手方向に沿って連続し、且つ、当該保護管の周方向に適宜間隔をおいて配置された突起が設けられているので、ケーブルに対してどの方向から風が吹いても、制振作用が発揮される。
【００１７】
また、定着部間に架設される引張材を被覆する保護管において、前記保護管の外周面に、該保護管の長手方向に沿って不連続な直線状で、且つ、当該保護管の周方向に適宜間隔をおいて配置された突起が設けられているので、ケーブルに対してどの方向から風が吹いても、制振作用が発揮される。
更に、突起は、保護管の周方向において、該突起における不連続部分が隣接する突起の不連続部分と位置的に重ならないように千鳥配置にして配設されているので、制振作用が発揮されると共に、保護管の軽量化にもなる。
【発明を実施するための最良の形態】
【００１８】
本発明の目的を、保護管の長手方向に連続していて周方向にも適宜間隔で突起を設けたことで、風がどの方向からケーブルに吹いても制振作用が発揮されるように実現した。同様に、保護管の長手方向に不連続な突起でも同様に実現した。
【実施例１】
【００１９】
図１は、本発明に係る保護管１の平面図、図２は断面図である。前記保護管１の外周面１ａに、該保護管１の長手方向に沿って連続し、且つ、当該保護管１の周方向に適宜間隔αをおいて配置された複数の突起２が設けられている。
【００２０】
前記保護管１を成形するには、例えば、ポリエチレン（ＰＥ）製の合成樹脂管を引き抜き法により、肉厚は５ｍｍ程度で長さが４〜５ｍ程度に一体成形する。なお、これに限らず、前記突起２を別体で成形して、前記保護管１に溶着しても良い。
【００２１】
この保護管１を、定着部間に新設される引張材に被覆し、隣接する保護管を熱溶着等の手段で首尾連接してカバーする。なお、既設の架設ケーブルにおける、引張材に前記保護管１を被覆させる場合には、例えば、当該保護管１を２分割したものを成形し、その周方向の端部に係合片等を設けるようにする。この２分割された保護管１で、既設の引張材に上下方向若しくは左右方向から被せて前記係合片を係合させて筒状の保護管１を組立て、カバーするようにするものである。
【００２２】
このように、前記複数の突起２を有する保護管１を引張材に被覆させた架設ケーブルは、雨が降っても突起２に邪魔されて雨水が周方向に流れて保護管１の底面に到達することができず、該底面に雨による道が形成されない。よって、この保護管１により、あらゆる方向から風雨が吹いてもギャロッピング現象が生じず、レインバイブレーションが発生しないものである。これによって、ケーブル制振作用が発揮される。
【実施例２】
【００２３】
本発明に係る保護管３は、その平面図である図３に示すように、定着部間に架設される引張材を被覆する保護管３において、前記保護管３の外周面３ａに、該保護管３の長手方向に沿って不連続な直線状で、且つ、当該保護管３の周方向に適宜間隔をおいて配置された不連続な突起４が設けられている。
【００２４】
前記突起４は、保護管３の周方向において、該突起４における不連続部分５が隣接する突起４の不連続部分５と位置的に重ならないように千鳥配置にして配設されている。
【００２５】
前記不連続な突起４により、雨水が直ちに底面に向かって周方向に流れず、斜め状態に架設されている保護管３の上側外周面を伝って下方向に流れ、一部は不連続部５から底面に向かって複雑に曲折しながら流れる。この保護管３の底面に一様な水道が形成されないので、ギャロッピング現象が生じず、ケーブル制振作用が発揮される。また、不連続部分５が周方向において位置的に重なっていないので、風が保護管３の外周面を一様に吹き抜けず、必ず千鳥配置の突起４に衝突することになって、揚力が生じないものである。
【００２６】
なお、前記実施例１，２における突起２，４の断面形状は、矩形状断面に限るものではなく、台形状断面，三角形状断面，頂部が弧状にしてある矩形状・台形状・三角形状の断面，更に、これらにおいて側面が弧状になっている断面，等に形成されるものである。
【図面の簡単な説明】
【００２７】
【図１】本発明に係るケーブル制振方法における保護管１の平面図である。
【図２】同保護管１の断面図である。
【図３】本発明の実施例２における保護管３の平面図である。
【図４】斜張橋６の説明図である。
【図５】ケーブル７の断面図である。
【図６】レインバイブレーションを説明する説明図である。
【符号の説明】
【００２８】
１    保護管、１ａ  外周面、
２    連続した突起、
３    保護管、
４    不連続な突起、
５    不連続部分。
【図１】
2005155286.tif 000003
【図２】
2005155286.tif 000004
【図３】
2005155286.tif 000005
【図４】
2005155286.tif 000006
【図５】
2005155286.tif 000007
【図６】
2005155286.tif 000008